(57)【要約】【課題】操作接触時に金属プレートに対して静電気が印加された場合でも、液晶表示用のプリント板の回路破損を防止できる壁埋込型操作器を提供する。【解決手段】照度センサ設定器（壁埋込型操作器）７は、前面が開口し、壁面に埋め込まれるベースボディ７３と、ベースボディ７３の内部に収容されて信号線に接続されると共に、液晶表示部７４ａが実装されたプリント板７４ｂを有するプリント板ブロック７４と、プリント板ブロック７４の前面に配置されるカバー７５と、を備える。カバー７５には、液晶表示部７４ａの上側面に対応する位置に、プリント板ブロック７４側に突出するリブ７５ｄが形成されている。この構成により、静電気の飛ぶ元から飛ぶ先までの絶縁距離を増やして、操作接触時に金属プレート７８に対して静電気が印加された場合でも、液晶表示用のプリント板７４ｂの回路破損を防止できる。【選択図】図６
2012113913.tif 000002
【特許請求の範囲】
【請求項１】
信号線を介して伝送信号の送受信を行い、当該伝送信号に基づいて各種機器の動作設定を液晶表示部を用いて行う壁埋込型操作器において、
前面が開口し、壁面に埋め込まれるベースボディと、
前記ベースボディ内部に収容されて前記信号線に接続されると共に、前記液晶表示部が実装されたプリント板を有するプリント板ブロックと、
前記プリント板ブロックの前面に配置されるカバーと、
前記カバーの前面側に取り付けられる金属プレートと、を備え、
前記カバーには、前記液晶表示部の側面に対応する位置に、前記プリント板ブロック側に突出するリブが形成されている、ことを特徴とする壁埋込型操作器。
【請求項２】
前記リブは、前記プリント板ブロックの前記プリント板に隣接する位置まで突出して形成されている、ことを特徴とする請求項１記載の壁埋込型操作器。
【請求項３】
前記リブは、前記液晶表示部の上側面に対応する位置に形成され、
前記カバーは、当該カバー取付用の固着具が貫通される少なくとも１つ以上の貫通孔を有し、前記貫通孔の周囲には、前記プリント板ブロック側に突出したリブが形成される、ことを特徴とする請求項１又は請求項２記載の壁埋込型操作器。
【請求項４】
前記ベースボディは、前記液晶表示部の側面に対応する位置に、前記カバー側に突出形成されたリブを有し、
前記カバーは、前記リブが貫通される貫通孔を有している、ことを特徴とする請求項１乃至請求項３のいずれか一項に記載の壁埋込型操作器。
【請求項５】
制御される機器が照度センサであり、この照度センサの動作条件を設定する、ことを特徴とする請求項１乃至請求項４のいずれか一項に記載の壁埋込型操作器。
【発明の詳細な説明】
【技術分野】
【０００１】
本発明は、信号線を介して伝送信号の送受信を行い、当該伝送信号に基づいて照明制御システムに用いる各種機器の動作設定を行う壁埋込型操作器に関する。
【背景技術】
【０００２】
従来より、全てのスイッチをネットワーク化して、パルス信号で各照明を制御する照明制御システムが知られている。この照明制御システムでは、照明の集中監視制御やタイマなどに連動した時間帯に合わせた点灯制御などを行うことができ、省エネや省コストの照明環境を実現している。
【０００３】
この照明制御システムでは、任意の場所の壁面に埋め込まれた壁埋込型操作器である操作スイッチを用いて、照明器具のオン／オフ状態の操作や、照度センサなどの各種機器の動作設定を行うことが可能となっている。
【０００４】
この操作スイッチとして、例えば、図８及び図９に示す照度センサの動作設定を行う照度センサ設定器８０がある。この照度センサ設定器８０では、壁面８１にボックスねじ８２を用いて埋込ボックス８３が埋め込まれ、この埋込ボックス８３に液晶表示部８４ａの実装されたプリント板８４ｂを有するプリント板ブロック８４が収容される。さらに、このプリント板ブロック８４の前面側をカバー８５で保護し、このカバー８５の前面側に取り付けられる化粧カバー８６及び金属プレート８７で美観や耐久性を向上させている。
【０００５】
そして、壁面などに固定される取付枠を用いて埋込配線され、端子板及び一対の鎖錠ばね間の絶縁距離を確保するための絶縁壁を解除釦に設けたスイッチ装置が開示されている（例えば、特許文献１参照）。また、壁のアウトレットボックスに使用し、地絡事故に対する保護手段を備えた電気コンセントも開示されている（例えば、特許文献２参照）。
【先行技術文献】
【特許文献】
【０００６】
【特許文献１】特開２００１−３２５８４６号公報
【特許文献２】特開昭６２−０１２０１５号公報
【発明の概要】
【発明が解決しようとする課題】
【０００７】
しかしながら、上記従来の照度センサ設定器（壁埋込型操作器）８０では、人による操作接触時に表面の金属プレート８７に対して静電気がバチッと発生する場合がある。この場合、例えば図９の静電気の飛ぶ元から飛ぶ先までの方向を示す点線の矢印Ｗ５に示すように、カバー８５と埋込ボックス８３の合わせ面（隙間）を通って液晶端子に静電気が飛び、最悪の場合、液晶表示部８４ａを制御する回路が破損してしまうという問題がある。
【０００８】
本発明は、上記課題に鑑みてなされたものであり、人による操作接触時に静電気が発生した場合でも、液晶表示用のプリント板の回路破損を防止した壁埋込型操作器を提供することを目的とする。
【課題を解決するための手段】
【０００９】
上記目的を達成するために本発明は、信号線を介して伝送信号の送受信を行い、当該伝送信号に基づいて各種機器の動作設定を液晶表示部を用いて行う壁埋込型操作器において、前面が開口し、壁面に埋め込まれるベースボディと、前記ベースボディ内部に収容されて前記信号線に接続されると共に、前記液晶表示部が実装されたプリント板を有するプリント板ブロックと、前記プリント板ブロックの前面に配置されるカバーと、前記カバーの前面側に取り付けられる金属プレートと、を備え、前記カバーには、前記液晶表示部の側面に対応する位置に、前記プリント板ブロック側に突出するリブが形成されている、ことを特徴とする。
【００１０】
この壁埋込型操作器において、前記リブは、前記プリント板ブロックの前記プリント板に隣接する位置まで突出して形成されていることが好ましい。
【００１１】
この壁埋込型操作器において、前記リブは、前記液晶表示部の上側面に対応する位置に形成され、前記カバーは、当該カバー取付用の固着具が貫通される少なくとも１つ以上の貫通孔を有し、前記貫通孔の周囲には、前記プリント板ブロック側に突出したリブが形成されることが好ましい。
【００１２】
この壁埋込型操作器において、前記ベースボディは、前記液晶表示部の側面に対応する位置に、前記カバー側に突出形成されたリブを有し、前記カバーは、前記リブが貫通される貫通孔を有していることが好ましい。
【００１３】
この壁埋込型操作器は、制御される機器が照度センサであり、この照度センサの動作条件を設定することが好ましい。
【発明の効果】
【００１４】
本発明に係る壁埋込側操作器において、カバーには、液晶表示部の側面に対応する位置に、プリント板ブロック側に突出するリブが形成されている。この構造により、人による操作接触時に金属プレートに対して静電気が発生した場合でも、プリント板までの絶縁距離を増やして、液晶表示部のプリント板の回路破損を適切に防止できる。
【図面の簡単な説明】
【００１５】
【図１】本発明の実施の形態１に係る照明制御システムの構成図を示す。
【図２】同上実施の形態１に係る照度センサ設定器の分解斜視図を示す。
【図３】（ａ）同上照度センサ設定器の正面図、（ｂ）照度センサ設定器を組み立てた状態での斜視図を示す。
【図４】（ａ）照度センサ設定器を構成するカバーの裏面側からの斜視図、（ｂ）カバーの右側面図、（ｃ）照度センサ設定器の上部の拡大断面図を示す。
【図５】（ａ）実施の形態２に係る照度センサ設定器を構成するカバーの前面側からの斜視図、（ｂ）ベースボディの前面側からの斜視図、（ｃ）照度センサ設定器の上部の拡大断面図を示す。
【図６】（ａ）実施の形態３に係る照度センサ設定器を構成するカバーの裏面側からの斜視図、（ｂ）カバーの照度センサ設定器の上部の拡大断面図を示す。
【図７】（ａ）実施の形態３の変形例１に係る照度センサ設定器を構成するカバーの裏面側からの斜視図、（ｂ）照度センサ設定器の上部の拡大断面図を示す。
【図８】（ａ）従来の照度センサ設定器の斜視図、（ｂ）照度センサを構成するカバーの斜視図、（ｃ）カバーの右側面図を示す。
【図９】（ａ）図８（ａ）のＡ−Ａ´線断面図、（ｂ）照度センサ設定器の上部の拡大断面図を示す。
【発明を実施するための形態】
【００１６】
本発明の実施の形態に係る壁埋込型操作器について図面を参照して説明する。
【００１７】
（実施の形態１）
図１は、本実施の形態１に係る照明制御システム１の構成を示す。この照明制御システム１は、伝送ユニット２と、リレー制御用端末器３と、リモコンリレー４と、リモコントランス５と、リモコンスイッチ６と、照度センサ設定器７（壁埋込型操作器）と、照度センサ８と、照明器具９とを備えている。
【００１８】
リレー制御用端末器３、リモコンスイッチ６、照度センサ設定器７、及び照度センサ８は、２線式の信号線を介して伝送ユニット２と相互に接続されており、伝送ユニット２との情報のやり取りは、信号線に多重伝送方式で伝送される伝送信号を通して行われる。
【００１９】
この照明制御システム１では、室内などの壁面に埋め込まれたリモコンスイッチ６や照度センサ設定器７を用いて、照明器具９のオン／オフ状態の操作や、室内の照度を管理するために明るさを検知して照明を制御する照度センサ８の動作設定を変更できる。なお、同システム１が備えるセンサ機能は照度センサに限定されるものではなく、例えば人の動きの温度変化を検知して照明を制御する熱線センサなどを備えることもできる。
【００２０】
照明制御システム１内に存在する照明器具９は、負荷アドレスによって一意に特定することができる。具体的には、リレー制御用端末器３には、負荷チャネル（Ｃｈ）と呼ばれる固有の識別子が割り当てられており、リレー制御用端末器３に接続するリモコンリレー４には、負荷ナンバー（Ｎｍ）を呼ばれる固有の識別子が割り当てられている。負荷チャネル（Ｃｈ）と、負荷ナンバー（Ｎｍ）とを組み合わせることにより、負荷アドレス（Ｃｈ−Ｎｍ）が構成される。
【００２１】
伝送ユニット２は、リモコンスイッチ６、照度センサ設定器７、及び照度センサ８からの伝送信号に基づいて、伝送信号に含まれるアドレス情報から制御対象となる照明器具９を特定すると共に、照明器具９に対する制御状態を特定する。そして、伝送ユニット２は、制御対象となる照明器具９と対応するリレー制御用端末器３に対して、照明器具９のアドレス情報と、その制御状態とを制御指令信号として送信する。
【００２２】
リレー制御用端末器３は、リレーの制御状態に応じて照明器具９の状態を制御する負荷制御端末器としての機能を担っている。リレー制御用端末器３は、伝送ユニット２からの伝送信号に基づいて、自己に接続するリモコンリレー４のうち、制御対象となる照明器具９に対応するリモコンリレー４に対して制御信号を送ることにより、リモコンリレー４の状態を制御する。リモコンリレー４の個々のリレーは、リレー制御用端末器３に制御されて、ブレーカ電源（ＡＣ１００又は２００Ｖ）１０などからの商用交流をオン／オフすることで、照明器具９をオン状態またはオフ状態にする。
【００２３】
リモコントランス５は、リレー制御用端末器３、及びリモコンリレー４に駆動用の電力を供給する。
【００２４】
リモコンスイッチ６は、照明器具９を制御するための制御指令を出力するための入力端末器としての機能を担っている。具体的には、リモコンスイッチ６は、例えば室内などの任意の壁面に設置されており、照明器具９を利用するユーザによってプッシュ操作が可能な端末器である。リモコンスイッチ６は、操作スイッチのいずれかが操作されるのに応じて、その操作スイッチに関連付けられているアドレス情報と、操作スイッチの操作状態とを制御指令として伝送ユニット２に送信する。
【００２５】
照度センサ設定器７は、壁面に埋め込まれ、照度センサ８の動作条件を設定する操作器である。ユーザは、この照度センサ設定器７の前面に配置された操作ボタンや液晶表示部を介して、例えば、照明器具９をオン／オフ制御する照度（ルクス）の設定や、照度センサ８を用いて照度制御を行う時間帯設定、強制ＯＮ／ＯＦＦの動作設定などを行う。
【００２６】
照度センサ８は、天井面などに設置され、検知領域周辺の明るさを検知（検知照度１００〜２０００ルクス等）する。そして、照度センサ８は、検知された照度に基づいて照明器具９を制御するためアドレス情報や制御情報を含む制御信号を伝送信号線を介して伝送ユニット２に対して送信する。なお、照度センサ８にも、照度検出のＯＮ／ＯＦＦ設定、照度値を設定する照度設定、モード設定スイッチなどが備わっている。
【００２７】
次に、本実施の形態１に係る照度センサ設定器７の構造に関して説明する。
照度センサ設定器７は、図２乃至図４に示すように、ベースボディ７３、プリント板ブロック７４、カバー７５、化粧カバー７６及び銘柄７７で構成され、ベースボディ７３、カバー７５及び化粧カバー７６に形成された貫通孔に固着具を貫通させて壁面３０に固定される。なお、カバー７５の前面側（照度センサ設定器７の表面）には、図３及び図４（図２には不図示）に示すような金属プレート７８が取り付けられる。
【００２８】
ベースボディ７３は、前面に開口を有した略箱形状で形成され、壁面内に埋め込まれる。プリント板ブロック７４は、ベースボディ７３内に収容され、液晶表示部７４ａや液晶表示部７４ａが実装されるプリント板７４ｂを有する。このプリント板ブロック７４は、壁面に設けられた電源用の端子ネジ７１及び端子板ブロック７２を用いて電源線と接続されると共に、壁面側に配線された信号線と接続される。カバー７５は、プリント板ブロック７４の前面を保護するためのプラスチック材料（合成樹脂材料）などから成る保護面であり略矩形形状で形成されている。化粧カバー７６は、カバー７５の前面側に取り付けられ、プラスチック材料（合成樹脂材料）で構成され、照度センサ設定器７の耐久性や美観を向上させる機能を有する。銘板７７は、文字などを表記した平板であり、化粧カバー７６の表面側に粘着剤などで貼り付けられる。金属プレート７８は、照度センサ設定器７の耐久性や美観向上のため、カバー７５の前面側（照度センサ設定器７の表面）に化粧カバー７６と一体又は別体として取り付けられ、銘板７７の操作面を露出するため略ロ字形状等をした金属板である。この金属プレート７８は、美観向上のためカバー７５や化粧カバー７６のサイズよりも一回り大きなサイズとなる。
【００２９】
カバー７５は、図４に示すように、カバー取付用のネジなどの固着具が貫通される貫通孔７５ａ（上下の２箇所に形成）を有し、貫通孔７５ａの裏面側には、プリント板ブロック７４側に突出したリブ７５ｂが形成されている。そして、この構成により、図４（ｃ）の点線の矢印Ｗ１で示すように、静電気の飛ぶ元から飛ぶ先までの絶縁距離を増やすことができる。従って、照度センサ設定器７の操作接触時に金属プレート７８に対して静電気が印加され、カバー７５とベースボディ７３の合わせ面（隙間）において静電気が移動する場合でも、より耐静電気性を向上させて、液晶表示用のプリント板７４ｂの回路破損を防止できる。
【００３０】
（実施の形態２）
本発明の実施の形態２に係る壁埋込型操作器（照度センサ設定器）に関して図５を参照して説明する。なお、本実施の形態２に係る照明制御システム１及び照度センサ設定器７の構成は上述した実施の形態１の図１及び図２と同様であるため、その詳細な説明は省略する（以下の実施の形態でも同様）。
【００３１】
図５に示すように、本実施の形態２において、照度センサ設定器７を構成するベースボディ７３は、液晶表示部７４ａの上側面に対応する位置に、カバー７５側に突出するリブ７３ａを有し、カバー７５は、リブ７３ａが貫通する貫通孔７５ｃを有している。この構成により、この構成により、図５（ｃ）の点線の矢印Ｗ２で示すように、静電気の飛ぶ元から飛ぶ先までの絶縁距離を増やすことができる。従って、照度センサ設定器７の操作接触時に金属プレート７８に対して静電気が印加され、カバー７５とベースボディ７３の合わせ面（隙間）において静電気が移動する場合でも、より耐静電気性を向上させて、液晶表示用のプリント板７４ｂの回路破損を防止できる。
【００３２】
なお、本実施の形態２において、リブ７３ａ及び貫通孔７５ｃは液晶表示部７４ａの上側面に対応する位置にのみ形成されるものとして説明したが、液晶表示部７４ａの側面側に形成されればよく、上側面に限定されるものではない。
【００３３】
（実施の形態３）
以下、本発明の実施の形態３に係る壁埋込型操作器（照度センサ設定器）に関して図６を参照して説明する。
【００３４】
照度センサ設定器７は、図６（ａ）に示すように、上記実施の形態１に係るカバー７５のリブ７５ｂの構成に加えて、液晶表示部７４ａの上側面に対応する位置に、プリント板ブロック７４側に突出するリブ７５ｄを有する。この構成により、図６（ｂ）の点線の矢印Ｗ３で示すように、静電気の飛ぶ元から飛ぶ先までの絶縁距離を増やすことができる。従って、照度センサ設定器７の操作接触時に金属プレート７８に対して静電気が印加され、カバー７５とベースボディ７３の合わせ面（隙間）において静電気が移動する場合でも、より耐静電気性を向上させて、液晶表示用のプリント板７４ｂの回路破損を防止できる。なお、リブ７５ｄの配置は、液晶表示部７４ａの側面側であれば良く、上側面のみに限定されるものではない。
【００３５】
（第１の変形例）
以下、本実施の形態３の第１の変形例について、図７を参照して説明する。本変形例では、カバー７５は、図７に示すように、プリント板７４ｂの押さえ位置まで突出したリブ７５ｅを有している。この構成により、図７（ｂ）の点線の矢印Ｗ４で示すように、より絶縁距離を増やし、照度センサ設定器７の操作接触時に金属プレート７８に対して静電気が印加された場合でも、耐静電気性を向上させて、液晶表示用のプリント板７４ｂの回路破損を防止できる。
【００３６】
なお、本発明は、上記実施の形態の構成に限られず、発明の趣旨を変更しない範囲で種々の変形が可能である。壁埋込型操作器は照度センサ設定器７に限定されるものではなく、液晶表示面を有し、信号線を介して接続された各種機器の動作設定をする機器であれば良い。また、例えば、照度センサ設定器７の組み立て構造は図２に限定されるものではなく、さらに壁埋込型操作器の形状は略直方体形状に限定されるものでもない。
【符号の説明】
【００３７】
１  照明制御システム
２  伝送ユニット
３  リレー制御用端末器
４  リモコンリレー
５  リモコントランス
６  リモコンスイッチ
７  照度センサ設定器（壁埋込型操作器）
８  照度センサ
９  照明器具
７３  ベースボディ
７３ａ  リブ
７４  プリント板ブロック
７４ａ  液晶表示部
７４ｂ  プリント板
７５  カバー
７５ａ，７５ｃ  貫通孔
７５ｂ，７５ｄ，７５ｅ  リブ
７６  化粧カバー
７７  銘板
７８  金属プレート
【図１】
2012113913.tif 000003
【図２】
2012113913.tif 000004
【図３】
2012113913.tif 000005
【図４】
2012113913.tif 000006
【図５】
2012113913.tif 000007
【図６】
2012113913.tif 000008
【図７】
2012113913.tif 000009
【図８】
2012113913.tif 000010
【図９】
2012113913.tif 000011